(57)【特許請求の範囲】
【請求項１】
少なくとも最内層がシーラント層でなり、方形状の複合フィルムでなる２枚の側面シートの両側縁と上縁のシーラント層面でシールされ、該上縁の一方の端部に、先端に切断線を有しこの切断線を切断して内容物を注ぎ出す注ぎ口とする突出した先細りのノズル部を有し、前記複合フィルムでなる側面シートの下縁のシーラント層面で該側面シートと略同一の構成でなる底面シートがシールされている注ぎ口付包装袋において、前記一方の端部に突出した先細りのノズル部は、上部に頂点をもつ山形を形成し、前記一方の端部側の側縁辺の延長線と、該延長線側の前記山形の稜線との角度が１〜４５°の範囲で、かつ前記山形の稜線のうち一方のもしくは両方の稜線の中間近傍に少なくとも１個の内側折曲がり点を有していることを特徴とする注ぎ口付包装袋。
【請求項２】
前記一方の端部側の側縁辺の延長線と該延長線側の前記山形の稜線との交点は、方形状の側面シートの前記一方の端部側の側縁辺と対峙する側縁辺の下方１／３より上部に位置することを特徴とする請求項１記載の注ぎ口付包装袋。
【請求項３】
前記ノズル部の切断線は、前記内側折曲がり点のうちの少なくとも１個の上部に位置することを特徴とする請求項１または２記載の注ぎ口付包装袋。
【発明の詳細な説明】
【０００１】
【発明の属する技術分野】
本発明は、液体洗剤やシャンプー等を収納する包装袋に関するものであり、特に内容物を他の容器に詰め替えるための注ぎ口が付いた詰替用の包装袋で、その注ぎ口の形状に関する。
【０００２】
【従来の技術】
近年、廃棄物の増加に係わる環境問題から、省資源や廃棄物の減量化を目的として、プラスチックフィルムをベースにした２層以上の積層包装材料の周縁を熱接着し、液体洗剤やシャンプー等トイレタリー品を収納する袋とし、使用に際し突出した注ぎ口を鋏等で切断してその内容物を、例えばポンプ方式ディスペンサー付のプラスチックボトルに容易に注ぎ詰め替えが可能な注ぎ口付詰替袋（ほとんどが自立するタイプのスタンディングパウチとなっている）が数多く使用されるようになっている。
【０００３】
このような注ぎ口付詰替袋として、例えば特開平１１−４３１６０号公報に開示されているように、２つの側面部と底面部とを有し、密封形成された袋において、先細りで山形状の注ぎ口（ノズル部）を前記２つの側面部が接合された上縁部の端部に突設したもので、この注ぎ口（ノズル部）は、袋の底辺と直交する基準線（側面部の側縁辺と一致）と、先細り山形の一方の稜線とが一致する形状のものであった。
【０００４】
【発明が解決しようとする課題】
しかし、上記事例の袋において、液体洗剤やシャンプー等を他のボトルへの詰替えに際し、ボトルの口元を土台として注ぎ出すと、特にそのボトル口元に対し注ぎ口先端を固定する位置が深すぎたり、袋の胴部を押しながら注出したりすると、内容物が水平方向に勢いよく流出して、ボトル口元外に飛び出し、液だれや周囲を汚す危惧があり、注ぎ難いという問題があった。
【０００５】
本発明は、かかる従来技術の問題点を解決するものであり、その課題とするところは、液体洗剤やシャンプー等の内容物を収納する詰替用包装袋において、その内容物を他のボトルへの詰め替えに際し、袋の胴部を押しても、袋の注ぎ口先端をボトル口元に対し深く位置させても、ボトル口元外へ飛び出す危惧のない注ぎ易い注ぎ口付包装袋を提供することにある。
【０００６】
【課題を解決するための手段】
本発明に於いて上記課題を達成するために、まず請求項１の発明では、少なくとも最内層がシーラント層でなり、方形状の複合フィルムでなる２枚の側面シートの両側縁と上縁のシーラント層面でシールされ、該上縁の一方の端部に、先端に切断線を有しこの切断線を切断して内容物を注ぎ出す注ぎ口とする突出した先細りのノズル部を有し、前記複合フィルムでなる側面シートの下縁のシーラント層面で該側面シートと略同一の構成でなる底面シートがシールされている注ぎ口付包装袋において、前記一方の端部に突出した先細りのノズル部は、上部に頂点をもつ山形を形成し、前記一方の端部側の側縁辺の延長線と、該延長線側の前記山形の稜線との角度が１〜４５°の範囲で、かつ前記山形の稜線のうち一方のもしくは両方の稜線の中間近傍に少なくとも１個の内側折曲がり点を有していることを特徴とする注ぎ口付包装袋としたものである。
【００１１】
上記請求項１の発明によれば、上縁の一方の端部に突出した先細りのノズル部を、上部に頂点をもつ山形を形成し、前記一方の端部側の側縁辺の延長線とこの延長線側の山形の稜線との角度を１〜４５°の範囲、好ましくは３〜２０°の範囲とすることによって、この注ぎ口付包装袋の内容物の他のボトルへの詰め替えに際し、内容物の流速を速くすることができ、延長線側の山形の稜線をボトル口元に固定した場合、切断線で切断した注ぎ口切断面とボトル口元のなす角度は、従来の袋の場合が９０°であったのに対し、この山形の稜線との角度に応じて小さくなっていき、結果としてノズル部の注ぎ口先端がボトルの口部の方向に向いているので、例え袋の胴部を強く押して注いでも、袋の注ぎ口先端をボトル口元に対し深く位置させて注いでも、ボトル口元外へ飛び出したりする危惧がなく、液だれのない注ぎ易い注ぎ口付包装袋を提供することができる。前記一方の端部側の側縁辺の延長線とこの延長線側の山形の稜線との角度が１°に満たないと従来のノズル部と変わらず、特に袋の胴部を押しながら注いだり、注ぎ口先端をボトル口元に対し深く位置させて注いだりすると、ボトル口元の外へ内容物が飛び出したりする危惧があり、４５°を越えるとノズル部が自ずと平坦な山形状となり、先端を切断して注ぎ口とすることが困難となるので好ましくない。かつまた、山形の稜線の中間近傍に少なくとも１個の内側に折り曲げるための内側折曲がり点を有しているので、注ぎ口開口部の先端からこの内側折曲がり点までは、ボトル口元のサイズに合わせて差込み可能なノズル部サイズに設定することによって、注出性（絞り出し適性）に優れたノズル部の形状とすることができる。
【００１２】
また、請求項２の発明では、前記一方の端部側の側縁辺の延長線と該延長線側の前記山形の稜線との交点は、方形状の側面シートの前記一方の端部側の側縁辺と対峙する側縁辺の下方１／３より上部に位置することを特徴とする請求項１記載の注ぎ口付包装袋としたものである。
【００１３】
上記請求項２の発明によれば、前記一方の端部側の側縁辺の延長線とこの延長線側の山形の稜線との交点が、方形状の側面シートの前記一方の端部側の側縁辺と対峙する側縁辺の下方１／３より上部に位置すると注ぎ易く、底面シートのシールがし易く、またデザイン的にも問題がなく、逆に側縁辺の下方１／３より下部に位置すると、注ぎ難くなるとともに、底面シートのシールが困難となり、またデザイン上も好ましくないものとなる。
【００１４】
さらにまた、請求項３の発明では、前記ノズル部の切断線は、前記内側折曲がり点のうちの少なくとも１個の上部に位置することを特徴とする請求項１または２記載の注ぎ口付包装袋としたものである。
【００１５】
上記請求項３の発明によれば、ノズル部の切断線を、少なくとも１個の内側折曲がり点の上部に設けることによって、ノズル部の注ぎ口がこの内側折曲がり点上部で細くなり、よってこの部分をボトル口元へ差し込んで注出することができるので、内容物がボトルの外に飛び出したり、ボトル口元で液垂れしたりしない注ぎ口付包装袋とすることができる。特に胴部を掴んで絞り出す粘性のある内容物には好適なノズル部の形状とすることができる。
【００１６】
【発明の実施の形態】
以下本発明の実施の形態を図面を用いて詳細に説明する。
本発明は、図１の斜視図に示すように、液体洗剤やシャンプー等を収納する包装袋に関するものであり、特に内容物を他の容器に詰め替えるための注出用のノズル部（１７）が上部に付いた詰替用の注ぎ口付包装袋（１）で、一般的には表裏２枚の方形状の側面シート（１０）の両側縁（１２）と上縁（１６）内面でシールされ、その底縁（１４）が底面シート（１８）がシールされて袋とした所謂スタンディングパウチであり、例えばＶノッチ（Ｖ）から切断して注ぎ口とするノズル部（１７）の形状に関するものである。
【００２２】
また、本発明では、図７の積層側断面図に示すように、例えば最内層がシーラント層（３２）でなり、最外層が基材フィルム（３４）でなる複合フィルムを用いて、図１の斜視図に示すように、方形状の表裏２枚の側面シート（１０）の両側縁（１２）と上縁（１６）のシーラント層面でシールされ、この上縁（１６）の左側の端部に、突出した先細りのノズル部（１７）を有し、前記複合フィルムでなる側面シート（１０）の底縁（１４）のシーラント層面で底面シート（１８）がシールされている自立する注ぎ口付包装袋（１）において、図８の正面図に示すように、例えば上縁（１６）の左側の端部に突出した先細りのノズル部（１７）は、上部に頂点をもつ山形を形成し、この左側の端部側の側縁（１２）辺の延長線（１２ａ）と、この延長線（１２ａ）側の山形の稜線（１７ｆ）との角度（ａ）が１〜４５°、好ましくは３〜２０°の範囲とするもので、かつこの延長線（１２ａ）側の山形の稜線（１７ｆ）と対峙する稜線の中間近傍に内側折曲がり点（Ｄ）を有し、この対峙する稜線は、内側折曲がり点（Ｄ）で内側に折り曲げられていて、この内側折曲がり点（Ｄ）より上部の稜線（１７ｇ）と下部の稜線（１７ｈ）とでなる注ぎ口付包装袋（１）としたものである。
【００２３】
また、本発明では、図８に示すように、例えば側面シート（１０）の上縁（１６）の左端の側縁（１２）辺の延長線（１２ａ）とこの延長線側の山形のノズル部（１７）の稜線（１７ｆ）との交点（Ｅ）は、方形状の側面シートの右側の側縁（１２）辺の下方１／３に相当する線（Ｌ）より上部に位置する注ぎ口付包装袋（１）とするものである。
【００２４】
さらにまた、本発明では、図８に示すように、例えばノズル部（１７）の先端を切断して開口するための切断線（１７ｅ）は、山形の右側の稜線（１７ｇ＋１７ｈ）にある内側折曲がり点（Ｄ）の上部に位置している注ぎ口付包装袋（１）としたものである。即ちノズル部（１７）を切断してもその切断面の下部の稜線に少なくとも１個の内側折曲がり点（Ｄ）を残すようにしたものである。
【００２５】
このように、左側縁（１２）辺の延長線（１２ａ）とこの延長線側の山形の稜線（１７ｆ）との角度を１〜４５°の範囲、好ましくは３〜２０°の範囲とすることによって、例えば図９の斜視図に示すように、この注ぎ口付包装袋（１）の内容物の他のボトル（２０）への詰め替えるとき、その内容物の流速を速くすることができ、ノズル部の山形の稜線（１７ｆ）をボトルの開口部（２２）に固定した場合、切断線（１７ｅ）で切断した注ぎ口切断面とボトル口元のなす角度は、従来の袋の場合が９０°であったのに対し、この山形の稜線（１７ｆ）と延長線との角度（ａ）に応じて小さくなっていき、結果としてノズル部（１７）の注ぎ口先端がボトル（２０）の開口部（２２）の方向に向くようになるので、ボトル口元外への内容物の飛び出しやボトル口元の液垂れのない注ぎ口付包装袋（１）とすることができる。
【００２６】
かつまた、図８に示すように、ノズル部（１７）の山形の右側の稜線の中間近傍に内側に折り曲げるための内側折曲がり点（Ｄ）を有しているので、注ぎ口先端即ち切断線（１７ｅ）からこの内側折曲がり点（Ｄ）までは、詰め替えされるボトル口元のサイズに合わせて差込み可能なノズル部（１７）のサイズに設定することによって、注出性（絞り出し適性）に優れたノズル部（１７）の形状とすることができる。即ち例えば図８に示すように、内側折曲がり点（Ｄ）より上部の稜線（１７ｇ）の延長線と左側縁（１２）の延長線（１２ａ）とのなす角度（ｂ）と下部の稜線（１７ｈ）の延長線とのなす角度（ｃ）とすると、内側折曲がり点（Ｄ）から上縁（１６）までは、この角度（ｂ）より角度（ｃ）が大きくなることから注ぎ口先端部への流路が（角度（ｂ）と角度（ｃ）の大きさの差に比例して）広くなるので、より注出性（絞り出し適性）に優れたノズル部（１７）の形状とすることができるものである。このように角度（ｂ）は５０〜３０°、角度（ｃ）は３０〜６０°の範囲が使い勝手から好適な値である。このように各角度（ａ）、（ｂ）、（ｃ）を調整することによって、内容物の粘度およびボトル口元のサイズに合わせた注ぎ口付包装袋（１）とすることができる。
【００２７】
さらにまた、図８に示すように、例えばノズル部（１７）の先端を切断して開口するための切断線（１７ｅ）の位置を、内側折曲がり点（Ｄ）の上部に位置することによって、図９に示すように、ノズル部（１７）の注ぎ口がこの内側折曲がり点（Ｄ）より切断線（１７ｅ）までの部分で細くなり、よってこの部分をボトル（２０）の開口部（２２）へ差し込んで注出することができ、内容物がボトルの外に飛び出したり、ボトル口元で液垂れしたりしない注ぎ口付包装袋（１）とすることができる。
【００２８】
本発明の注ぎ口付包装袋（１）を構成する側面シート（１０）、底面シート（１８）としてのフィルムとしては、シール生のある単層フィルムでも構わないが、一般的には図７に示すように、外層の基材フィルム（３４）と最内層のシーラント層（３２）で構成され、中間にバリア層（３６）や遮光層（図示せず）等種々の機能性を付与した層が積層されている複合フィルム（３０）とするもので、その基材フィルム（３４）としては、例えば二軸延伸ナイロンフィルム（ＯＮｙ）、ポリエチレンテレフタレートフィルム（ＰＥＴ）、ポリカーボネートフィルム（ＰＣ）などが挙げられ、収納される内容物や袋の用途等によって適宜選定される。
【００２９】
また、最内層のシーラント層（３２）としては、ヒートシール性のある直鎖低密度ポリエチレン（ＬＬＤＰＥ）、低密度ポリエチレン（ＬＤＰＥ）、高密度ポリエチレン（ＨＤＰＥ）のフィルムあるいは無延伸ポリプロピレンフィルム（ＣＰＰ）などが挙げられ、これら樹脂でなるシーラント層（３２）同志がヒートシールされて周縁にシール部を有する注ぎ口付包装袋（１）を形成する。さらに上記基材フィルム（３４）とシーラント層（３２）との間に、内容物の保護等を目的として、例えばバリア層（３６）としてガスバリア性に優れるエチレン／ビニルアルコール共重合樹脂フィルム（ＥＶＯＨ）、酸化珪素などが蒸着されたセラミック蒸着フィルムあるいはアルミニウム箔などが接着剤等を介してラミネートされたもの、あるいは図示しないが耐屈曲ピンホール性を目的として二軸延伸ナイロンフィルムを積層させたものなど目的に応じて３層、４層でなる複合フィルム（３０）を用いることができる。
【００３０】
また、この注ぎ口付包装袋（１）の使用（例えば他のボトルへの詰替え）に際し、図３に示すように、ノズル部（１７）の先端（１７ｄ）を切断して注ぎ口（１７ｃ）とする手段は、例えば切断線を鋏で切断するように印刷で表示するか、あるいは図２に示すように、ノズル部（１７）の一方あるいは両方の稜辺（１７ａ、１７ｂ）にＶノッチ（Ｖ）を施し、このＶノッチ（Ｖ）から炭酸ガスレーザーやミシン目などによるハーフカット溝とする切断線（１７ｅ）を形成して、Ｖノッチ（Ｖ）を手掛かりに引き裂いて注ぎ口とするようにしたものがある。この場合のようにハーフカット溝が複合フィルム（３０）を貫通しないようにするためにも側面シート（１０）を２層以上の複合フィルムとすることが望ましい。
【００３１】
【実施例】
次に実施例により、本発明を具体的に説明する。
〈参考例１〉図７の側断面積層図に示すように、基材フィルム（３４）として、裏面に印刷された厚さ１５μｍの二軸延伸ナイロンフィルムを用いて、その印刷面に、アルミニウムが蒸着された厚さ１２μｍのポリエチレンテレフタレートフィルムの蒸着面をウレタン系ドライラミネーション用接着剤を介してラミネートしてバリア層（３６）を形成した。さらにこのバリア層（３６）面に上記と同様のドライラミネーション用接着剤を介して厚さ６０μｍの直鎖低密度ポリエチレンフィルムをシーラント層（３２）としてラミネートし複合フィルム（３０）を得た。
【００３２】
上記で得られた複合フィルム（３０）を図２の正面図に示すように、縦（Ｔ）２１２ｍｍ、横（Ｗ）１４０ｍｍ、上縁（１６）の左端に突出している略二等辺三角形状のノズル部（１７）の高さ（Ｈ）３８ｍｍ、側縁（１２）辺の延長線（１２ａ）とノズル部（１７）の稜辺（１７ａ）との角度（α）１５°、ノズル部（１７）の二等分線（Ｋ）と側縁（１２）辺の延長線（１２ａ）との角度（β）８°、側縁（１２）辺とノズル部（１７）の稜辺（１７ａ）の交点（Ｐ）の位置は上縁（１６）より１２ｍｍ下としたノズル部（１７）を有する側面シート（１０）として切断し、底縁（１４）を底面シート（図示せず、この複合フィルム（３０）と同じ構成のフィルムを用いた）とシール幅（Ｘ）でシールして袋とし、内容物としてシャンプーを４００ｍｍ充填し、側面シート（１０）の上縁（１６）をシールして試験用の注ぎ口付包装袋を得た。
【００３３】
〈実施例１〉
参考例１で得られた複合フィルム（３０）を図８の正面図に示すように、縦（Ｔ）２１２ｍｍ、横（Ｗ）１４０ｍｍ、上縁（１６）の左端に突出している山形のノズル部（１７）の高さ（Ｙ）４５ｍｍ、側縁（１２）辺の延長線（１２ａ）とノズル部（１７）の稜線（１７ｆ）との角度（ａ）１５°、ノズル部（１７）を形成する右側の稜線のうち内側折曲がり点（Ｄ）より上部の稜線（１７ｇ）の延長線と左側縁（１２）の延長線（１２ａ）とのなす角度（ｂ）３０°、内側折曲がり点（Ｄ）より下部の稜線（１７ｈ）の延長線と左側縁（１２）の延長線（１２ａ）とのなす角度（ｃ）４５°、側縁（１２）辺とノズル部（１７）の左側の稜線（１７ｆ）との交点（Ｐ）の位置は上縁（１６）より１２ｍｍ下としたノズル部（１７）を有する側面シート（１０）とした以外は、参考例１と同様にして試験用の注ぎ口付包装袋（１）を得た。
【００３４】
〈比較例１〉図５に示すように、側面シート（１０）の側縁（１２）辺の延長線（１２ａ）とノズル部（１７）の一方の稜辺（１７ａ）とが一致している以外は、参考例１と同様にして試験用の注ぎ口付包装袋（２）を得た。
【００３５】
上記実施例１で得られた試験用の注ぎ口付包装袋（１）および比較例１で得られた試験用の注ぎ口付包装袋（２）及び、参考例１で得られた試験用の注ぎ口付包装袋について、図３に示すように、ノズル部（１７）の先端（１７ｅ）を切断して注ぎ口（１７ｃ）とし、このノズル部（１７）の稜辺（１７ａ）または図８に示す稜線（１７ｆ）をポンプ方式ディスペンサー付のプラスチックボトルの口元（開口部）に乗せて、詰め替えしたところ、実施例１の注ぎ口付包装袋（１）及び、参考例１で得られた試験用の注ぎ口付包装袋では、ボトルの口元外へシャンプーが飛び出したり、口元縁に液垂れすることもなく詰め替えが容易にできるものであった。これに対し比較例１での従来の注ぎ口付包装袋（２）では、ボトルの口元外へシャンプーが飛び出したりすることがあり、特に袋の胴部を強く押して注いだり、袋の注ぎ口先端をボトル口元に対し深く位置させて注いだりすると、飛び出したり液だれとなるものであった。なお実施例１で得られた注ぎ口付包装袋（１）では、例えば図９に示すように、ボトル（２０）の開口部（２２）に容易に差し込むことができ、よって内容物がボトルの外に飛び出したり、ボトル口元で液垂れしたりしないものであった。
【００３６】
【発明の効果】
本発明は以上の構成であるから、下記に示す如き効果がある。即ち、少なくとも最内層がシーラント層でなり、方形状の複合フィルムでなる２枚の側面シートの両側縁と上縁のシーラント層面でシールされ、該上縁の一方の端部に、先端を切断して内容物を注ぎ出す注ぎ口とする突出した先細りのノズル部を有し、前記複合フィルムでなる側面シートの下縁のシーラント層面で該側面シートと略同一の構成でなる底面シートがシールされている注ぎ口付包装袋において、上縁の一方の端部に突出した先細りのノズル部を、上部に頂点をもつ山形を形成し、前記一方の端部側の側縁辺の延長線とこの延長線側の山形の稜線との角度を１〜４５°の範囲、好ましくは３〜２０°の範囲とすることによって、この注ぎ口付包装袋の内容物の他のボトルへの詰め替えに際し、内容物の流速を速くすることができ、かつ前記延長線側の山形の稜線をボトル口元に固定した場合、切断線で切断した注ぎ口切断面とボトル口元のなす角度は、従来の袋の場合が９０°であったのに対し、この山形の稜線との角度に応じて小さくなっていき、結果としてノズル部の注ぎ口先端がボトルの口部の方向に向いているので、例え袋の胴部を強く押して注いでも、袋の注ぎ口先端をボトル口元に対し深く位置させて注いでも、ボトル口元外へ飛び出したりする危惧がなく、液だれのない注ぎ易い注ぎ口付包装袋を提供することができる。
【００３８】
さらにまた、ノズル部の切断線を、少なくとも１個の内側折曲がり点の上部に設けることによって、ノズル部の注ぎ口がこの内側折曲がり点上部で細くなり、よってこの部分をボトル口元へ差し込んで注出することができるので、内容物がボトルの外に飛び出したり、ボトル口元で液垂れしたりしない注ぎ口付包装袋とすることができる。
【００３９】
従って本発明は、液体洗剤やシャンプー等トイレタリー品を収納し、その使用に際し、例えばポンプ方式ディスペンサー付ボトルへの詰め替えが可能な注ぎ口付包装袋として、優れた実用上の効果を発揮する。
【図面の簡単な説明】
【図１】本発明の注ぎ口付包装袋の一実施の形態を説明するための斜視図である。
【図２】本発明の参考例の注ぎ口付包装袋の一実施の形態を説明するための正面図である。
【図３】本発明の注ぎ口付包装袋の使用に際する一実施の形態を説明するための斜視図である。
【図４】本発明の参考例の注ぎ口付包装袋の使用で、詰め替えに際する一実施の形態を説明するための斜視図である。
【図５】従来の注ぎ口付包装袋の一事例を説明するための正面図である。
【図６】従来の注ぎ口付包装袋の一事例の使用で、詰め替えに際する一実施の形態を説明するための斜視図である。
【図７】本発明の注ぎ口付包装袋を構成するシートの一実施の形態を側断面で表した積層図である。
【図８】本発明の注ぎ口付包装袋の一実施の形態を示す正面図である。
【図９】本発明の注ぎ口付包装袋の一実施の形態の使用で、詰め替えに際する形態を説明するための斜視図である。
【図１】
0004876358.tif 000002
【図２】
0004876358.tif 000003
【図３】
0004876358.tif 000004
【図４】
0004876358.tif 000005
【図５】
0004876358.tif 000006
【図６】
0004876358.tif 000007
【図７】
0004876358.tif 000008
【図８】
0004876358.tif 000009
【図９】
0004876358.tif 000010